(57)【特許請求の範囲】
【請求項１】
チャージシェアを有する走査駆動回路であって、
前段走査信号、自段クロック信号、及び後段走査信号を受信して、前記前段走査信号、前記自段クロック信号、及び前記後段走査信号に基づいて、自段走査信号を生成するための駆動ユニットと、
前記駆動ユニットに接続され、前記駆動ユニットのプルダウン制御信号点をプルダウンするためのプルダウン維持ユニットと、
前記駆動ユニット及び前記プルダウン維持ユニットと接続され、第１クロック信号、第２クロック信号、第１電圧信号及び第２電圧信号を受信して、前記第１及び第２クロック信号と前記第１及び第２電圧信号により前記自段走査信号の立ち上がり及び立ち下がりの電位を制御して補償電圧を下げるシェアユニットと、を含むことを特徴とするチャージシェアを有する走査駆動回路。
【請求項２】
前記駆動ユニットは第１〜第４の可制御スイッチ及びコンデンサを含み、
前記第１の可制御スイッチの制御端子が前記第１の可制御スイッチの第１の端子に接続されて前記前段走査信号を受信し、
前記第１の可制御スイッチの第２の端子が前記プルダウン維持ユニット、前記第２の可制御スイッチの制御端子、及び前記第３の可制御スイッチの第１の端子に接続されており、
前記第２の可制御スイッチの第１の端子が前記自段クロック信号を受信し、
前記第２の可制御スイッチの第２の端子が、前記第４の可制御スイッチの第１の端子、前記プルダウン維持ユニット、前記シェアユニット及び自段走査信号出力端子に接続されており、
前記第４の可制御スイッチの制御端子が前記第３の可制御スイッチの制御端子に接続されて前記後段走査信号を受信し、
前記第４の可制御スイッチの第２の端子が前記第３の可制御スイッチの第２の端子及び前記プルダウン維持ユニットに接続されて接地され、
前記コンデンサが前記第２の可制御スイッチの制御端子と第２の端子との間に接続されていることを特徴とする、
請求項１に記載のチャージシェアを有する走査駆動回路。
【請求項３】
前記シェアユニットは、第５の可制御スイッチ及び第６の可制御スイッチを含み、
前記第５の可制御スイッチの制御端子が前記第１クロック信号を受信し、
前記第５の可制御スイッチの第１の端子が、前記第６の可制御スイッチの第２の端子、前記第２の可制御スイッチの第２の端子、前記第４の可制御スイッチの第１の端子及び前記自段走査信号出力端子に接続され、
前記第５の可制御スイッチの第２の端子が前記第１電圧信号を受信し、
前記第６の可制御スイッチの制御端子が前記第２クロック信号を受信し、
前記第６の可制御スイッチの第１の端子が前記第２電圧信号を受信することを特徴とする、
請求項２に記載のチャージシェアを有する走査駆動回路。
【請求項４】
前記第１〜第６の可制御スイッチは、いずれもＮ型薄膜トランジスタであり、
前記第１〜第６の可制御スイッチの制御端子、第１の端子及び第２の端子がそれぞれ、前記Ｎ型薄膜トランジスタのゲート、ドレイン及びソースに対応していることを特徴とする、
請求項３に記載のチャージシェアを有する走査駆動回路。
【請求項５】
前記シェアユニットは第５〜第１０の可制御スイッチを含み、
前記第５の可制御スイッチの制御端子が、前記第８の可制御スイッチの制御端子、前記第２の可制御スイッチの第１の端子、及び前記自段走査信号出力端子に接続されており、
前記第５の可制御スイッチの第１の端子が前記第１クロック信号を受信し、
前記第５の可制御スイッチの第２の端子が前記第６の可制御スイッチの制御端子及び前記第７の可制御スイッチの第１の端子に接続され、
前記第６の可制御スイッチの第１の端子が前記第２電圧信号を受信し、
前記第６の可制御スイッチの第２の端子が前記第９の可制御スイッチの第１の端子及び前記自段走査信号出力端子に接続され、
前記第７の可制御スイッチの制御端子が前記後段クロック信号を受信し、
前記第７の可制御スイッチの第２の端子が接地され、
前記第８の可制御スイッチの第１の端子が前記第２クロック信号を受信し、
前記第８の可制御スイッチの第２の端子が、前記第９の可制御スイッチの制御端子及び前記第１０の可制御スイッチの第１の端子に接続されており、
前記第９の可制御スイッチの第２の端子が前記第１電圧信号を受信し、
前記第１０の可制御スイッチの制御端子が前段クロック信号を受信し、前記第１０の可制御スイッチの第２の端子が接地されることを特徴とする、
請求項２に記載のチャージシェアを有する走査駆動回路。
【請求項６】
前記第１〜第１０の可制御スイッチは、いずれもＮ型薄膜トランジスタであり、前記第１〜第１０の可制御スイッチの制御端子、第１の端子及び第２の端子がそれぞれ、前記Ｎ型薄膜トランジスタのゲート、ドレイン及びソースに対応していることを特徴とする請求項５に記載のチャージシェアを有する走査駆動回路。
【請求項７】
チャージシェアを有する走査駆動回路を含む表示パネルであって、前記チャージシェアを有する走査駆動回路は、
前段走査信号、自段クロック信号、及び後段走査信号を受信して、前記前段走査信号、前記自段クロック信号、及び前記後段走査信号に基づいて、自段走査信号を生成するための駆動ユニットと、
前記駆動ユニットに接続され、前記駆動ユニットのプルダウン制御信号点をプルダウンするためのプルダウン維持ユニットと、
前記駆動ユニット及び前記プルダウン維持ユニットと接続され、第１クロック信号、第２クロック信号、第１電圧信号及び第２電圧信号を受信して、前記第１及び第２クロック信号と前記第１及び第２電圧信号により前記自段走査信号の立ち上がり及び立ち下がりの電位を制御して補償電圧を下げるシェアユニットと、を含むことを特徴とする表示パネル。
【請求項８】
前記駆動ユニットは第１〜第４の可制御スイッチ及びコンデンサを含み、
前記第１の可制御スイッチの制御端子が前記第１の可制御スイッチの第１の端子に接続されて前記前段走査信号を受信し、
前記第１の可制御スイッチの第２の端子が前記プルダウン維持ユニット、前記第２の可制御スイッチの制御端子、及び前記第３の可制御スイッチの第１の端子に接続されており、
前記第２の可制御スイッチの第１の端子が前記自段クロック信号を受信し、
前記第２の可制御スイッチの第２の端子が、前記第４の可制御スイッチの第１の端子、前記プルダウン維持ユニット、前記シェアユニット及び前記自段走査信号出力端子に接続されており、
前記第４の可制御スイッチの制御端子が前記第３の可制御スイッチの制御端子に接続されて前記後段走査信号を受信し、
前記第４の可制御スイッチの第２の端子が前記第３の可制御スイッチの第２の端子及び前記プルダウン維持ユニットに接続されて接地され、
前記コンデンサが前記第２の可制御スイッチの制御端子と第２の端子との間に接続されていることを特徴とする、
請求項７に記載の表示パネル。
【請求項９】
前記シェアユニットは、第５の可制御スイッチ及び第６の可制御スイッチを含み、
前記第５の可制御スイッチの制御端子が前記第１クロック信号を受信し、
前記第５の可制御スイッチの第１の端子が、前記第６の可制御スイッチの第２の端子、前記第２の可制御スイッチの第２の端子、前記第４の可制御スイッチの第１の端子及び前記自段走査信号出力端子に接続され、
前記第５の可制御スイッチの第２の端子が前記第１電圧信号を受信し、
前記第６の可制御スイッチの制御端子が前記第２クロック信号を受信し、
前記第６の可制御スイッチの第１の端子が前記第２電圧信号を受信することを特徴とする、
請求項８に記載の表示パネル。
【請求項１０】
前記第１〜第６の可制御スイッチは、いずれもＮ型薄膜トランジスタであり、
前記第１〜第６の可制御スイッチの制御端子、第１の端子及び第２の端子がそれぞれ、前記Ｎ型薄膜トランジスタのゲート、ドレイン及びソースに対応していることを特徴とする、
請求項９に記載の表示パネル。
【請求項１１】
前記シェアユニットは第５〜第１０の可制御スイッチを含み、
前記第５の可制御スイッチの制御端子が、前記第８の可制御スイッチの制御端子、前記第２の可制御スイッチの第１の端子、及び前記自段走査信号出力端子に接続されており、
前記第５の可制御スイッチの第１の端子が前記第１クロック信号を受信し、
前記第５の可制御スイッチの第２の端子が前記第６の可制御スイッチの制御端子及び前記第７の可制御スイッチの第１の端子に接続され、
前記第６の可制御スイッチの第１の端子が前記第２電圧信号を受信し、
前記第６の可制御スイッチの第２の端子が前記第９の可制御スイッチの第１の端子及び前記自段走査信号出力端子に接続され、
前記第７の可制御スイッチの制御端子が前記後段クロック信号を受信し、
前記第７の可制御スイッチの第２の端子が接地され、
前記第８の可制御スイッチの第１の端子が前記第２クロック信号を受信し、
前記第８の可制御スイッチの第２の端子が、前記第９の可制御スイッチの制御端子及び前記第１０の可制御スイッチの第１の端子に接続されており、
前記第９の可制御スイッチの第２の端子が前記第１電圧信号を受信し、
前記第１０の可制御スイッチの制御端子が前段クロック信号を受信し、前記第１０の可制御スイッチの第２の端子が接地されることを特徴とする、
請求項８に記載の表示パネル。
【請求項１２】
前記第１〜第１０の可制御スイッチは、いずれもＮ型薄膜トランジスタであり、前記第１〜第１０の可制御スイッチの制御端子、第１の端子及び第２の端子がそれぞれ、前記Ｎ型薄膜トランジスタのゲート、ドレイン及びソースに対応していることを特徴とする請求項１１に記載の表示パネル。
【発明の詳細な説明】
【技術分野】
【０００１】
本発明は、表示技術分野に関し、特に、チャージシェアを有する走査駆動回路及び表示パネルに関する。
【背景技術】
【０００２】
表示パネルにおける画素領域の補償電圧が大きすぎると、画像の正常な表示品質に影響を与えるため、補償電圧をどのように下げるかは、走査駆動回路で制御される表示装置にとって重要な要素となる。図１は、従来の走査駆動回路の基本的な駆動構成を示す図である。図２の従来の走査駆動回路の波形図から分かるように、走査信号の動作波形は、主に異なる時点のクロック信号波形によって制御される。クロック信号波形がシェア機能を有する場合、走査駆動回路は、チャージシェア機能を有する信号を入力することによって対応する走査信号を生成し、このような走査信号が画素領域の補償電圧を下げることができる。しかしながら、従来のチャージシェア機能を有するクロック信号は、システム端末の駆動チップにより供給される必要があり、駆動チップの複雑化、高コスト化を招くという問題がある。
【発明の概要】
【発明が解決しようとする課題】
【０００３】
本発明の解決しようとする技術的課題は、画素領域の補償電圧を下げて、表示パネルの品質を向上させることができる、低コストのチャージシェアを有する走査駆動回路及び表示パネルを提供することである。
【課題を解決するための手段】
【０００４】
上記の技術的課題を解決するために、本発明が採用する技術的手段は、チャージシェアを有する走査駆動回路であって、
前段走査信号、自段クロック信号、及び後段走査信号を受信して、前記前段走査信号、前記自段クロック信号、及び前記後段走査信号に基づいて、自段走査信号を生成するための駆動ユニットと、
前記駆動ユニットに接続され、前記駆動ユニットのプルダウン制御信号点をプルダウンするためのプルダウン維持ユニットと、
前記駆動ユニット及び前記プルダウン維持ユニットと接続され、第１クロック信号、第２クロック信号、第１電圧信号及び第２電圧信号を受信して、前記第１及び第２クロック信号と前記第１及び第２電圧信号とにより前記自段走査信号の立ち上がり及び立ち下がりの電位を制御して補償電圧を下げるシェアユニットと、を備える。
【０００５】
上記の技術的課題を解決するために、本発明が採用する技術的手段は、チャージシェアを有する走査駆動回路を備える表示パネルを提供し、前記チャージシェアを有する走査駆動回路は、
前段走査信号、自段クロック信号、及び後段走査信号を受信して、前記前段走査信号、前記自段クロック信号、及び前記後段走査信号に基づいて、自段走査信号を生成するための駆動ユニットと、
前記駆動ユニットに接続され、前記駆動ユニットのプルダウン制御信号点をプルダウンするためのプルダウン維持ユニットと、
前記駆動ユニット及び前記プルダウン維持ユニットと接続され、第１クロック信号、第２クロック信号、第１電圧信号及び第２電圧信号を受信して、前記第１及び第２クロック信号と前記第１及び第２電圧信号とにより前記自段走査信号の立ち上がり及び立ち下がりの電位を制御して補償電圧を下げるシェアユニットと、を備える。
【発明の効果】
【０００６】
本発明の有益な効果は以下のとおりである。本発明に係る走査駆動回路は、従来技術とは異なり、駆動ユニット及びプルダウン維持ユニットにより自段走査信号を生成する。チャージシェアを有するシェアユニットにより前記自段走査信号の立ち上がり及び立ち下がりの電位を制御することにより、補償電圧を低減し、さらにコストを低減し、表示パネルの品質を向上させることができる。
【図面の簡単な説明】
【０００７】
【図１】図１は、従来技術に係る走査駆動回路の回路図である。
【図２】図２は、図１の波形模式図である。
【図３】図３は、本発明に係るチャージシェアを有する走査駆動回路の回路図である。
【図４】図４は、図３の第１実施例の回路図である。
【図５】図５は、図４における第１及び第２電圧信号が低電位である際の波形模式図である。
【図６】図６は、図４における第１及び第２電圧信号が高電位である際の波形模式図である。
【図７】図７は、図３の第２実施例の回路図である。
【図８】図８は、図７の波形模式図である。
【図９】図９は、本発明に係る表示パネルの構造概略図である。
【発明を実施するための形態】
【０００８】
図３は、本発明に係るチャージシェアを有する走査駆動回路の回路図である。前記チャージシェアを有する走査駆動回路１は、前段走査信号Ｇｎ−１、自段クロック信号ＣＫｎ、及び後段走査信号Ｇｎ＋１を受信して、前記前段走査信号Ｇｎ−１、前記自段クロック信号ＣＫｎ、及び前記後段走査信号Ｇｎ＋１に基づいて、自段走査信号Ｇｎを生成するための駆動ユニット１０と、
【０００９】
前記駆動ユニット１０に接続され、前記駆動ユニット１０のプルダウン制御信号点をプルダウンするためのプルダウン維持ユニット２０と、
【００１０】
前記駆動ユニット１０及び前記プルダウン維持ユニット２０と接続され、第１クロック信号ＳＣＫ１、第２クロック信号ＳＣＫ２、第１電圧信号ＶＣＳ１及び第２電圧信号ＶＣＳ２を受信して、前記第１及び第２クロック信号ＳＣＫ１、ＳＣＫ２と前記第１及び第２電圧信号ＶＣＳ１、ＶＣＳ２とにより前記自段走査信号Ｇｎの立ち上がり及び立ち下がりの電位を制御して補償電圧を下げるシェアユニット３０と、を備える。
【００１１】
具体的に、前記駆動ユニット１０は第１〜第４の可制御スイッチＴ１〜Ｔ４及びコンデンサＣ１を備える。前記第１の可制御スイッチＴ１の制御端子が前記第１の可制御スイッチＴ１の第１の端子に接続されて前記前段走査信号Ｇｎ−１を受信する。前記第１の可制御スイッチＴ１の第２の端子が前記プルダウン維持ユニット２０、前記第２の可制御スイッチＴ２の制御端子、及び前記第３の可制御スイッチＴ３の第１の端子に接続されている。前記第２の可制御スイッチＴ２の第１の端子が前記自段クロック信号ＣＫｎを受信する。前記第２の可制御スイッチＴ２の第２の端子が、前記第４の可制御スイッチＴ４の第１の端子、前記プルダウン維持ユニット２０、前記シェアユニット３０及び前記自段走査信号出力端子Ｇｎに接続されている。前記第４の可制御スイッチＴ４の制御端子が前記第３の可制御スイッチＴ３の制御端子に接続されて前記後段走査信号Ｇｎ＋１を受信する。前記第４の可制御スイッチＴ４の第２の端子が前記第３の可制御スイッチＴ３の第２の端子及び前記プルダウン維持ユニット２０に接続されて接地されている。前記コンデンサＣ１が前記第２の可制御スイッチＴ２の制御端子と第２の端子との間に接続されている。
【００１２】
図４は、本発明に係るチャージシェアを有する走査駆動回路の第１実施例の回路図である。前記シェアユニット３０は、第５の可制御スイッチＴ５及び第６の可制御スイッチＴ６を備える。前記第５の可制御スイッチＴ５の制御端子が前記第１クロック信号ＳＣＫ１を受信する。前記第５の可制御スイッチＴ５の第１の端子が、前記第６の可制御スイッチＴ６の第２の端子、前記第２の可制御スイッチＴ２の第２の端子、前記第４の可制御スイッチＴ４の第１の端子及び前記自段走査信号出力端子に接続されている。前記第５の可制御スイッチＴ５の第２の端子が前記第１電圧信号ＶＣＳ１を受信する。前記第６の可制御スイッチＴ６の制御端子が前記第2クロック信号ＳＣＫ２を受信する。前記第６の可制御スイッチＴ６の第１の端子が前記第２電圧信号ＶＣＳ２を受信する。
【００１３】
本実施例において、前記第１〜第６の可制御スイッチＴ１〜Ｔ６は、いずれもＮ型薄膜トランジスタであり、前記第１〜第６の可制御スイッチＴ１〜Ｔ６の制御端子、第１の端子及び第２の端子がそれぞれ、前記Ｎ型薄膜トランジスタのゲート、ドレイン及びソースに対応している。他の実施例において、前記第１〜第６の可制御スイッチＴ１〜Ｔ６は、本発明の目的を達成することができる限り、他のタイプのスイッチであってもよい。
【００１４】
画素領域の補償電圧は、Ｖｆｔ＝（Ｖｇｈ−Ｖｇｌ）＊Ｃｇｓ／Ｃｔｏｔａｌである（ただし、Ｖｆｔは補償電圧であり、Ｖｇｈは前記自段走査信号Ｇｎの高電位であり、Ｖｇｌは前記自段走査信号Ｇｎの低電位であり、Ｃｇｓは寄生容量であり、Ｃｔｏｔａｌは画素の総容量である）。前記自段走査信号Ｇｎを立ち上がりと立ち下がりとの２段に分けると、すなわちチャージシェアを行うと、実際の補償電圧はＶｆｔ＝（Ｖｇｈ−Ｖｇｌ）／２＊Ｃｇｓ／Ｃｔｏｔａｌとなり、補償電圧Ｖｆｔを大幅に改善することができる。
【００１５】
前記走査駆動回路の動作原理は、前記第１クロック信号ＳＣＫ１により立ち上がりを制御し、前記第２クロック信号ＳＣＫ２により立ち下がりを制御する。図５は、前記第１電圧信号ＶＣＳ１及び前記第２電圧信号ＶＣＳ２が低電位である際の駆動波形である。前記第１電圧信号ＶＣＳ１及び前記第２電圧信号ＶＣＳ２の電位によって前記自段走査信号Ｇｎの立ち上がり及び立ち下がりの電位を制御する。
【００１６】
本実施例において、自段走査信号Ｇ１を例として説明する。前記自段走査信号Ｇ１が立ち上がりである場合には、前記第１クロック信号ＳＣＫ１がハイレベルであり、前記第５の可制御スイッチＴ５がオンにされる。このとき、前記第１電圧信号ＶＣＳ１の低電位が前記自段走査信号Ｇ１に入力され、前記自段走査信号Ｇ１の高電位が分圧されて、１／２（Ｖｇｈ−Ｖｇｌ）に下がる。その後、前記第１クロック信号ＳＣＫ１がローレベルであり、前記第５の可制御スイッチＴ５は、前記自段走査信号Ｇ１の高電位に影響を与えずにオフとなる。前記自段走査信号Ｇ１が立ち下がりである場合には、前記第２クロック信号ＳＣＫ２はハイレベルであり、前記第６の可制御スイッチＴ６がオンにされる。このとき、前記自段走査信号Ｇ１に前記第２電圧信号ＶＣＳ２の低電位が入力され、前記自段走査信号Ｇ１の高電位が分圧されて、１／２（Ｖｇｈ−Ｖｇｌ）に下がる。その後、前記第２クロック信号ＳＣＫ２がローレベルとなり、前記第６の可制御スイッチＴ６は、前記自段走査信号Ｇ１の低電位に影響を与えずにオフとなる。
【００１７】
図６は、前記第１電圧信号ＶＣＳ１及び前記第２電圧信号ＶＣＳ２が高電位である際の駆動波形である。前記第１電圧信号ＶＣＳ１及び前記第２電圧信号ＶＣＳ２の電位によって立ち上がり及び立ち下がりの電位が制御される。同様に、前記自段走査信号Ｇ１を例として説明する。前記第１クロック信号ＳＣＫ１がハイレベルである場合、前記第５の可制御スイッチＴ５がオンにされる。このとき、前記第１電圧信号ＶＣＳ１の高電位が前記自段走査信号Ｇ１に入力され、前記自段走査信号Ｇ１の低電位が分圧されて、１／２（Ｖｇｈ−Ｖｇｌ）に上がる。その後、前記第１クロック信号ＳＣＫ１がローレベルであり、前記第５の可制御スイッチＴ５は、前記自段走査信号Ｇ１の高電位に影響を与えずにオフとなり、前記自段走査信号Ｇ１は正常にオンとなる。前記第２クロック信号ＳＣＫ２はハイレベルとなり、前記第６の可制御スイッチＴ６がオンにされる。このとき、前記自段走査信号Ｇ１に前記第２電圧信号ＶＣＳ２の高電位が入力され、前記自段走査信号Ｇ１の低電位が分圧されて、１／２（Ｖｇｈ−Ｖｇｌ）に上がる。その後、前記第２電圧信号ＳＣＫ２がローレベルとなり、前記第６の可制御スイッチＴ６は、前記自段走査信号Ｇ１の低電位に影響を与えずにオフとなる。
【００１８】
図７は、本発明に係るチャージシェアを有する走査駆動回路の第２実施例の回路図である。前記走査駆動回路の第２実施例と前記第１実施例との相違点は、前記シェアユニット３０が第５〜第１０の可制御スイッチＴ５〜Ｔ１０を備える点である。前記第５の可制御スイッチＴ５の制御端子は、前記第８の可制御スイッチＴ８の制御端子、前記第２の可制御スイッチＴ２の第１の端子に接続されている。前記第５の可制御スイッチＴ５の第１の端子は、前記第１クロック信号ＳＣＫ１を受信する。前記第５の可制御スイッチＴ５の第２の端子は、前記第６の可制御スイッチＴ６の制御端子及び前記第７の可制御スイッチＴ７の第１の端子に接続されている。前記第６の可制御スイッチＴ６の第１の端子は、前記第２電圧信号ＶＣＳ２を受信する。前記第６の可制御スイッチＴ６の第２の端子は、前記第９の可制御スイッチＴ９の第１の端子及び前記自段走査信号出力端子に接続されている。前記第７の可制御スイッチＴ７の制御端子は、前記後段クロック信号ＣＫｎ＋１を受信する。前記第７の可制御スイッチＴ７の第２の端子は接地ＶＳＳに接続されている。前記第８の可制御スイッチＴ８の第１の端子は、前記第２クロック信号ＳＣＫ２を受信する。前記第８の可制御スイッチＴ８の第２の端子は、前記第９の可制御スイッチＴ９の制御端子及び前記第１０の可制御スイッチＴ１０の第１の端子に接続されている。前記第９の可制御スイッチＴ９の第２の端子は、前記第１電圧信号ＶＣＳ１を受信する。前記第１０の可制御スイッチＴ１０の制御端子は、前段クロック信号ＣＫｎ−１を受信する。前記第１０の可制御スイッチＴ１０の第２の端子は接地ＶＳＳに接続されている。
【００１９】
本実施例において、前記第１〜第１０の可制御スイッチＴ１〜Ｔ１０は、いずれもＮ型薄膜トランジスタであり、前記第１〜第１０の可制御スイッチＴ１〜Ｔ１０の制御端子、第１の端子及び第２の端子がそれぞれ、前記Ｎ型薄膜トランジスタのゲート、ドレイン及びソースに対応している。他の実施例において、前記第１〜第１０の可制御スイッチＴ１〜Ｔ１０は、本発明の目的を達成することができる限り、他のタイプのスイッチであってもよい。
【００２０】
図８は、本実施例に係る走査駆動回路の波形図である。前記第１電圧信号ＶＣＳ１及び前記第２電圧信号ＶＣＳ２は低電位である。前記第１クロック信号ＳＣＫ１が前記自段走査信号Ｇ１の立ち上がりを制御し、前記第２クロック信号ＳＣＫ２が前記自段走査信号Ｇ１の立ち下がりを制御する。本実施例において、前記自段走査信号Ｇ１を例として説明する。前記自段の走査信号Ｇ１は、自段クロック信号ＣＫ１によって制御され、後段クロック信号ＣＫｎ＋１はＣＫ２であり、前段クロック信号ＣＫｎ−１はＣＫ４である。
【００２１】
自段クロック信号ＣＫ１が立ち上がると、前記自段走査信号Ｇ１が高電位となり、同時に、前記第５の可制御スイッチＴ５オンにされる。このとき前記第１クロック信号ＳＣＫ１は高電位であり、後段クロック信号ＣＫ２は低電位であるため、前記第７の可制御スイッチＴ７がオフすることで、Ｐ点が高電位となり、前記第６の可制御スイッチＴ６がオンにされる。そして、前記第２電圧信号ＶＣＳ２の低電位が前記自段走査信号Ｇ１に入力され、前記自段走査信号Ｇ１の高電位が分圧されて、１／２（Ｖｇｈ−Ｖｇｌ）に下がる。その後前記第１クロック信号ＳＣＫ１が低電位となり、前記第６の可制御スイッチＴ６が、前記自段走査信号Ｇ１の高電位に影響を与えることなくオフとなる。
【００２２】
前記後段クロック信号ＣＫ２が高電位である場合、前記第１クロック信号ＳＣＫ１は自段クロック信号ＣＫ１の立ち上がりを制御しているため、前記第１クロック信号ＳＣＫ１は高電位であると、前記自段クロック信号ＣＫ１が高電位を保持する。特別に処理しなければ、前記自段走査信号Ｇ１が１／２（Ｖｇｈ−Ｖｇｌ）に引き下げられる。前記後段クロック信号ＣＫ２が高電位である場合、第７の可制御スイッチＴ７がオンにされ、接地信号ＶＳＳの低電位が入力され、Ｐ点の電位が低電位に分圧される。前記第６の可制御スイッチＴ６は、正常な走査信号Ｇ１の高電位に影響を与えることなくオフとなる。
【００２３】
前記第２クロック信号ＳＣＫ２が高電位である場合、前記自段クロック信号ＣＫ１は高電位であるため、前記第８の可制御スイッチＴ８がオンにされ、前記第２クロック信号ＳＣＫ２が高電位となる。前記前段クロック信号ＣＫ４が低電位であるため、前記第１０の可制御スイッチＴ１０がオフとなり、Ｑ点が高電位となり、前記第９の可制御スイッチＴ９がオンにされる。前記第１電圧信号ＶＣＳ１の低電位が前記自段走査信号Ｇ１に入力され、前記自段走査信号Ｇ１の高電位が分圧されて、１／２（Ｖｇｈ−Ｖｇｌ）に下がる。その後、前記第２クロック信号ＳＣＫ２がローレベルとなり、前記第９の可制御スイッチＴ９が、前記自段走査信号Ｇ１の低電位に影響を与えることなくオフになる。
【００２４】
図９は、本発明の表示パネルの構造概略図である。前記表示パネル２は、チャージシェアを有する前記走査駆動回路１を備える。前記表示パネル２における他のデバイス及び機能は、既存の表示パネルのものと同様であるため、ここで説明を省略する。
【００２５】
前記走査駆動回路は、駆動ユニット及びプルダウン維持ユニットにより自段走査信号を生成し、チャージシェアを有するシェアユニットにより前記自段走査信号の立ち上がり及び立ち下がりの電位を制御することにより、補償電圧を低減し、さらにコストを低減し、表示パネルの品質を向上させることができる。
【００２６】
以上の説明は、単に本発明の実施形態に過ぎず、本発明の保護範囲を限定するものではない。本発明の明細書及び添付図面の内容を利用した同等の構造又は同等のプロセスの変更、又は他の関連する技術分野に直接又は間接的に適用したものは、いずれも本発明の保護範囲内に包含されるものである。
【図１】
0006740486.tif 000002
【図２】
0006740486.tif 000003
【図３】
0006740486.tif 000004
【図４】
0006740486.tif 000005
【図５】
0006740486.tif 000006
【図６】
0006740486.tif 000007
【図７】
0006740486.tif 000008
【図８】
0006740486.tif 000009
【図９】
0006740486.tif 000010